(57)【要約】      （修正有）【課題】布団におけるダニを効果的に駆除することができるだけでなく、構造が簡単であり、使用しやすく、衛生的であり、保管しやすく、需要を十分に満たすことができる収縮可能なダニ駆除袋を提供する。【解決手段】ダニ駆除袋に関し、本体１を含み、本体１は円筒状であり、その底部は側壁に固定するように接続されており、本体１の上部開閉口が便利に開けられるように、その頂部４は側壁に可動に接続されており、本体１は軟質材料によって製造されており、折畳むことができ、側壁および底部は遮光性材料によって製造されており、頂部４は透光性材料によって製造されており、本体１の上端および下端が広げた状態を保持するように、本体１の上端および下端には支持リング６がそれぞれ設けられており、本体１が垂直に広げた状態を保持し、押えられた際に、本体１が平らに圧縮できるように、本体１の側壁には螺旋形の支持棒２が設けられている。【選択図】図１
0003218098.tif 000002
【実用新案登録請求の範囲】
【請求項１】
収縮可能なダニ駆除袋であって、本体を含み、
前記本体は円筒状であり、その底部は側壁に固定するように接続されており、前記本体の上部開閉口が便利に開けられるように、その頂部は側壁に可動に接続されており、
前記本体は軟質材料によって製造されており、折畳むことができ、前記側壁および底部は遮光性材料によって製造されており、前記頂部は透光性材料によって製造されており、
前記本体の上端および下端が広げた状態を保持するように、前記本体の上端および下端には支持リングがそれぞれ設けられており、
前記本体が垂直に広げた状態を保持し、押えられた際に、前記本体が平らに圧縮できるように、前記本体の側壁には螺旋形の支持棒が設けられている、
ことを特徴とする収縮可能なダニ駆除袋。
【請求項２】
前記頂部はファスナにより前記側壁に接続されており、前記本体の上部開閉口が完全に開放された後、前記本体の内部に物を入れやすくするために、該ファスナは前記頂部の外周を取り囲んでいる、ことを特徴とする請求項１に記載の収縮可能なダニ駆除袋。
【請求項３】
運搬しやすくするために、前記本体の上部には取っ手が設けられている、ことを特徴とする請求項１に記載の収縮可能なダニ駆除袋。
【請求項４】
前記本体底部の外側には雄バックルが設けられており、内側にはそれに対応する雌バックルが設けられており、前記本体が圧縮された後、雄バックルと雌バックルを接続させることによって、前記本体を平らに保持する、ことを特徴とする請求項１に記載の収縮可能なダニ駆除袋。
【考案の詳細な説明】
【技術分野】
【０００１】
本考案は生活用品に関し、特に家庭用枕および布団のダニ駆除に適用する装置に関し、具体的には収縮可能なダニ駆除袋に関する。
【背景技術】
【０００２】
人々の生活レベルの向上に伴い、ダニに対する認識も益々全面的になっている。ダニは枕や布団に繁殖しやすく、皮膚のかゆみなどの不快さを引き起こす。従来のダニ駆除方法は、枕や布団を直接屋外の日光に置き、ダニを死滅させる。しかし、枕や布団を直射日光に当てても空気中の粉塵を阻止し難く、同時に温度が４０度以上に達しなければ、ダニを死滅させることができない。一方で、屋外の温度は４０度以上に達することが珍しく、特に緯度の高い地域に生活している人々は、このような直射日光に当てる方法でダニを駆除することが難しい。よって、便利にダニを駆除する装置を設計し、社会の需要を満たす必要がある。
【考案の概要】
【考案が解決しようとする課題】
【０００３】
本考案は、現在ダニを駆除する際の困難に鑑みてなされたものであって、布団におけるダニを効果的に駆除することができるだけでなく、構造が簡単であり、使用しやすく、衛生的であり、保管しやすく、需要を十分に満たすことができる収縮可能なダニ駆除袋を提供することを目的とする。
【課題を解決するための手段】
【０００４】
上記の目的を達成するための本考案に係る収縮可能なダニ駆除袋は、本体を含み、
前記本体は円筒状であり、その底部は側壁に固定するように接続されており、前記本体の上部開閉口が便利に開けられるように、その頂部は側壁に可動に接続されており、
前記本体は軟質材料によって製造されており、折畳むことができ、前記側壁および底部は遮光性材料によって製造されており、前記頂部は透光性材料によって製造されており、
前記本体の上端および下端が広げた状態を保持するように、前記本体の上端および下端には支持リングがそれぞれ設けられており、
前記本体が垂直に広げた状態を保持し、押えられた際に、前記本体が平らに圧縮できるように、前記本体の側壁には螺旋形の支持棒が設けられている。
【０００５】
さらに、前記頂部はファスナにより前記側壁に接続されており、前記本体の上部開閉口が完全に開放された後、前記本体の内部に物を入れやすくするために、該ファスナは前記頂部の外周を取り囲んでいる。
【０００６】
さらに、運搬しやすくするために、前記本体の上部には取っ手が設けられている。
【０００７】
さらに、前記本体底部の外側には雄バックルが設けられており、内側にはそれに対応する雌バックルが設けられており、前記本体が圧縮された後、雄バックルと雌バックルを接続させることによって、前記本体を平らに保持する。
【考案の効果】
【０００８】
本考案は設計が合理的で、構造が簡単であり、使用しやすく、ダニ駆除が必要な物を直接その中に入れ、太陽熱を吸収し、内部に高い温度を発生させることによって、ダニを殺し、人々の高品質な生活に対する需要を効果的に満たすことができる。
【図面の簡単な説明】
【０００９】
【図１】本考案の構造を示す図である。
【考案を実施するための形態】
【００１０】
以下、図面および実施例を参照しながら、本考案をさらに説明する。
図１に示すように、収縮可能なダニ駆除袋であって、円筒状であってもよく、その他の形状であってもよい本体１を含む。上記本体１の底部は側壁に固定するように接続されており、上記本体１の上部開閉口が便利に開けられるように、その頂部４は側壁に可動に接続されている。上記本体１は軟質材料によって製造されており、折畳むことができ、使用および保管しやすい。上記側壁および底部は光を通さず、太陽光の放射熱を吸収しやすい。上記頂部４は透光性であり、日差しが入射しやすく、より多くの熱を得ることができる。好ましくは、上記側壁および底部は２１０Ｔ黒色ポリエステルタフタ複合ＴＰＵ（熱可塑性ポリウレタンの弾性体ゴム）黒膜を選択することができ、上記頂部４は透明ＰＥを選択することができる。上記本体１の上下端が広げた状態を保持するように、上記本体１の上端および下端には支持リング６がそれぞれ設けられており、上記本体１が垂直に広げた状態を保持し、押さえた際に、上記本体１が平らに圧縮されるように、上記本体１の側壁には螺旋形の支持棒２が設けられている。好ましくは、十分な強度を有するように、上記支持リング６は鋼線によって製造されている。十分な支持強度を有するだけでなく、圧縮可能で、収縮し保管しやすくするために、上記支持棒２はばねであってもよい。上記支持リング６または支持棒２を挿入し、外形を清潔および美しく保持するために、上記本体１の側壁および端部には、上記支持リング６または支持棒２に適応するチューブを設置することができる。
【００１１】
上記頂部４はファスナにより上記側壁に接続されており、上記本体の上部開閉口が完全に開放された後、上記本体の内部に物を置きやすくするために、該ファスナは上記頂部の外周を取り囲んでいる。
【００１２】
運搬しやすくするために、上記本体１の上部には取っ手３が設けられている。
【００１３】
上記本体１の底端の外側には雄バックル５が設けられており、内側にはそれに対応する雌バックルが設けられており、本考案を使用しない際に、上記本体１を圧縮し、上記雄バックル５と雌バックルを接続させることによって、上記本体１を平らに保持し、上記支持棒２の作用による跳ね上がりを防止することができ、よって保管または運搬に便利である。
【００１４】
本考案の関わっていない部分はいずれも従来技術と同じく、または従来技術を採用して実現することができる。
【符号の説明】
【００１５】
１  本体、
２  支持棒、
３  取っ手、
４  頂部、
５  雄バックル、
６  支持リング。
【図１】
0003218098.tif 000003